(57)【要約】【課題】グループ通信開始通知を受信したメンバーが、他の参加メンバーが誰なのかを知ることができ、参加判断の材料にすることができる通信端末装置、通信システム及び通信方法を提供することを目的とする。【解決手段】制御部７は、通信開始通知画面を表示部５に表示させ、キー入力部３の入力に応じて個人情報通知可否を設定する個人情報通知設定画面を表示し、キー入力部３の入力に従って個人情報通知可否情報を通信開始端末１００−１に対して通信部２に送信させる。通信開始端末１００−１の制御部７は、個人情報通知可否情報を基に各参加メンバーの個人情報を各通信端末に対して通信部２に送信させ、これを受信した通信端末の制御部７は、個人情報を含んだ参加メンバー詳細画面を表示部５に表示させる。【選択図】図２
2007150769.tif 000002
【特許請求の範囲】
【請求項１】
通信部と、
複数の個人情報を記憶する記憶部と、
前記記憶部に記憶される相手先を指定してグループ通信の開始を指示すると、当該複数の相手先に対してグループ通信の開始通知を前記通信部により送信すると共にグループ通信の処理を行う制御部と、
を備え、
前記制御部は、前記グループ通信の開始通知を送信する際、それぞれの相手先に対して当該相手先の個人情報を他の相手先への開示の可否を確認する開示確認通知を前記通信部により送信させ、前記通信部により当該開示確認通知に対する応答を受信すると応答内容に応じてそれぞれの相手先に対して応答の送信元に関する個人情報を開示するか否かを決める
ことを特徴とする通信端末装置。
【請求項２】
前記通信部は、所定の管理装置を介して指定された相手先と接続することでグループ通信し、
前記制御部は、グループ通信の開始が指示されると、前記管理装置へ他の相手先がログインするために必要なパラメータを記載してグループ通信の開始通知を作成する
ことを特徴とする請求項１に記載の通信端末装置。
【請求項３】
前記制御部は、前記開示確認通知の応答として開示の許可を受信すると、当該応答を行った相手先に関する前記記憶部に記憶された個人情報を、当該相手先以外の相手先に開示させる
ことを特徴とする請求項１に記載の通信端末装置。
【請求項４】
前記個人情報は、電話番号と名前とメールアドレスの内少なくとも２つを含み、
前記開示確認通知は、電話番号と名前とメールアドレスの内の何れを開示許可もしくは不許可とするかを確認する通知手段である
ことを特徴とする請求項１に記載の通信端末装置。
【請求項５】
前記制御部は、前記開示確認通知に対する応答に、グループ通信時に使用するべき許可名称が含まれていた場合、当該応答のあった相手先以外の相手先には、前記記憶部に記憶される個人情報に含まれる名前ではなく前記許可名称を開示する
ことを特徴とする請求項１に記載の通信端末装置。
【請求項６】
通信部と、
報知部と、
入力部と、
制御部と、
を有し、
前記制御部は、前記通信部にてグループ通信の開始通知を受信する際、当該グループ通信の開始通知の送付元から当該グループ通信に参加する他の相手先に対して自装置に関する情報の開示の可否を確認する開示確認通知を受信すると、当該開示確認通知を前記報知部に報知させ、前記開示確認通知に対する入力が前記入力部になされると、当該入力に応じた応答を前記通信部により送信させる
ことを特徴とする通信端末装置。
【請求項７】
前記通信部は、前記グループ通信の開始通知に記載されたパラメータを参照して所定の管理装置にログインすることでグループ通信を行う
ことを特徴とする請求項６に記載の通信端末装置。
【請求項８】
前記個人情報は、電話番号と名前とメールアドレスの内少なくとも２つを含み、
前記開示確認通知に対する入力は、電話番号と名前とメールアドレスの内のいずれを開示許可もしくは不許可とするかを指定する入力である
ことを特徴とする請求項６に記載の通信端末装置。
【請求項９】
前記入力部は、前記開示確認通知に対する入力に、グループ通信時に使用するべき許可名称を含める
ことを特徴とする請求項６に記載の通信端末装置。
【請求項１０】
前記制御部は、前記開始通知と共に、送付元及び他の相手先の個人情報を受信した場合は、前記個人情報を前記報知部に報知させる
ことを特徴とする請求項６に記載の通信端末装置。
【請求項１１】
前記開示確認通知に対する入力は、グループ通信時に使用するべき許可名称を含み、
前記制御部７は、当該許可名称を含んだ応答を前記通信部により送信させる
ことを特徴とする請求項６に記載の通信端末装置。
【請求項１２】
管理装置を介して複数の通信端末装置が互いに通信を行う通信システムであって、
１の通信端末装置が、相手先を指定してグループ通信の開始を指示すると、当該複数の相手先に対してグループ通信の開始通知を送信すると共にグループ通信の処理を行い、前記グループ通信の開始通知を送信する際、それぞれの相手先に対して当該相手先の個人情報を他の相手先へ開示の可否を確認する開示確認通知を送信し、
他の通信端末装置が、開示確認通知を受信すると、当該開示確認通知を報知し、前記開示確認通知に対する入力に応じた応答を送信し、
前記１の通信端末装置は、当該開示確認通知に対する応答を受信すると応答内容に応じてそれぞれの相手先に対して応答の送信元に関する相手先情報を開示するか否かを決める
ことを特徴とする通信システム。
【請求項１３】
管理装置を介して複数の通信端末装置が互いに通信を行う通信システムの通信方法であって、
１の通信端末装置が、相手先を指定してグループ通信の開始を指示する第１のステップと、
前記１の通信端末装置が、当該複数の相手先に対してグループ通信の開始通知を送信すると共にグループ通信の処理を行う第２の工程と、
前記１の通信端末装置が、前記グループ通信の開始通知を送信する際、それぞれの相手先に対して当該相手先の個人情報を他の相手先へ開示の可否を確認する開示確認通知を送信する第３の工程と、
他の通信端末装置が、開示確認通知を受信すると、当該開示確認通知を報知する第４の工程と、
前記他の通信端末装置が、前記開示確認通知に対する入力に応じた応答を送信する第５の工程と、
前記１の通信端末装置が、当該開示確認通知に対する応答を受信する第６の工程と、
前記１の通信端末装置が、応答内容に応じてそれぞれの相手先に対して応答の送信元に関する相手先情報を開示するか否かを決める第７の工程と
を有することを特徴とする通信方法。
【発明の詳細な説明】
【技術分野】
【０００１】
本発明は、複数の通信装置が互いに通信を行う通信システムにおいて用いられる通信端末装置、通信システム及び通信方法に関する。
【背景技術】
【０００２】
近年、携帯電話等の通信端末による通信の態様が多様化しており、回線交換による従来の音声通話に加え、ＩＰ（Internet Protocol）網を利用したパケット通信など新たな態様の通信が行われている。例えば、通信端末間でリアルタイムに文字をやりとりすることで会話を行う「チャットメール」がある（特許文献１参照）。チャットメールは、予め登録しておいたメンバー間でグループを形成し、このグループ内でリアルタイムに文字などのデータ通信を行う「グループ通信」と呼ばれる通信態様の１つである。
【０００３】
最近注目を集めているグループ通信の１つに、ＰｏＣ（Push to Talk over Cellular）と呼ばれるものがある。ＰｏＣは、グループを形成する複数の通信端末同士がリアルタイム通信を行うことを可能にする技術である。ＰｏＣでは、送信側となる１つの通信端末から受信側となる複数の通信端末へ一斉にデータを送信することができる。
ＰｏＣでは、グループ通信を開始しようとする通信端末保持者が他の通信端末にグループ通信開始通知を送信し、通信開始通知を受信した通信端末は、通信開始通知に含まれる送信元の通信端末保持者情報及び通信開始通知を送信した数を表示し、通信端末保持者にこれを判断材料としてグループ通信に参加するか否かを判断させている。
【０００４】
上述したように、先行する関連技術におけるＰｏＣにおいては、グループ通信開始通知からは、通信開始通知の送信元の情報（名前、電話番号、Ｅｍａｉｌアドレス等）及び通信参加要求の送信数（グループ通信メンバーの数）の情報しか得ることが出来ないため、例えば、通信開始通知を受信したユーザが、グループ通信に参加してから、グループ通信の参加者の中に話したくない相手がいることに気づく、といった事態を防ぐことができない、という不利益がある。
【特許文献１】特開２００３−１７４５２０号公報
【発明の開示】
【発明が解決しようとする課題】
【０００５】
しかし、上述した従来技術では、グループ通信メンバーの人数しか得ることが出来ないので、誰が参加要請されているのかが分からない、という不利益があった。
本発明は、上述した不利益を解消することが出来る通信端末装置、通信システム及び通信方法を提供することを目的とする。
【課題を解決するための手段】
【０００６】
上述した目的を達成するために、第１の観点の発明の通信装置は、通信部と、複数の個人情報を記憶する記憶部と、前記記憶部に記憶される相手先を指定してグループ通信の開始を指示すると、当該複数の相手先に対してグループ通信の開始通知を前記通信部により送信すると共にグループ通信の処理を行う制御部と、を備え、前記制御部は、前記グループ通信の開始通知を送信する際、それぞれの相手先に対して当該相手先の個人情報を他の相手先への開示の可否を確認する開示確認通知を前記通信部により送信させ、前記通信部により当該開示確認通知に対する応答を受信すると応答内容に応じてそれぞれの相手先に対して応答の送信元に関する個人情報を開示するか否かを決める。
【０００７】
好適には、前記通信部は、所定の管理装置を介して指定された相手先と接続することでグループ通信し、前記制御部は、グループ通信の開始が指示されると、前記管理装置へ他の相手先がログインするために必要なパラメータを記載してグループ通信の開始通知を作成する。
【０００８】
好適には、前記制御部は、前記開示確認通知の応答として開示の許可を受信すると、当該応答を行った相手先に関する前記記憶部に記憶された個人情報を、当該相手先以外の相手先に開示させる。
【０００９】
好適には、前記個人情報は、電話番号と名前とメールアドレスの内少なくとも２つを含み、前記開示確認通知は、電話番号と名前とメールアドレスの内の何れを開示許可もしくは不許可とするかを確認する通知手段である。
【００１０】
好適には、前記制御部は、前記開示確認通知に対する応答に、グループ通信時に使用するべき許可名称が含まれていた場合、当該応答のあった相手先以外の相手先には、前記記憶部に記憶される個人情報に含まれる名前ではなく前記許可名称を開示する。
【００１１】
第２の観点の発明の通信端末装置は、通信部と、報知部と、入力部と、制御部と、を有し、前記制御部は、前記通信部にてグループ通信の開始通知を受信する際、当該グループ通信の開始通知の送付元から当該グループ通信に参加する他の相手先に対して自装置に関する情報の開示の可否を確認する開示確認通知を受信すると、当該開示確認通知を前記報知部に報知させ、前記開示確認通知に対する入力が前記入力部になされると、当該入力に応じた応答を前記通信部により送信させる。
【００１２】
好適には、前記通信部は、前記グループ通信の開始通知に記載されたパラメータを参照して所定の管理装置にログインすることでグループ通信を行う。
【００１３】
好適には、前記個人情報は、電話番号と名前とメールアドレスの内少なくとも２つを含み、前記開示確認通知に対する入力は、電話番号と名前とメールアドレスの内のいずれを開示許可もしくは不許可とするかを指定する入力である。
【００１４】
好適には、前記入力部は、前記開示確認通知に対する入力に、グループ通信時に使用するべき許可名称を含める。
【００１５】
好適には、前記制御部は、前記開始通知と共に、送付元及び他の相手先の個人情報を受信した場合は、前記個人情報を前記報知部に報知させる。
【００１６】
好適には、前記開示確認通知に対する入力は、グループ通信時に使用するべき許可名称を含み、前記制御部７は、当該許可名称を含んだ応答を前記通信部により送信させる。
【００１７】
第３の観点の方法の通信システムは、管理装置を介して複数の通信端末装置が互いに通信を行う通信システムであって、１の通信端末装置が、相手先を指定してグループ通信の開始を指示すると、当該複数の相手先に対してグループ通信の開始通知を送信すると共にグループ通信の処理を行い、前記グループ通信の開始通知を送信する際、それぞれの相手先に対して当該相手先の個人情報を他の相手先へ開示の可否を確認する開示確認通知を送信し、他の通信端末装置が、開示確認通知を受信すると、当該開示確認通知を報知し、前記開示確認通知に対する入力に応じた応答を送信し、前記１の通信端末装置は、当該開示確認通知に対する応答を受信すると応答内容に応じてそれぞれの相手先に対して応答の送信元に関する相手先情報を開示するか否かを決める。
【００１８】
第４の観点の発明の通信方法は、管理装置を介して複数の通信端末装置が互いに通信を行う通信システムの通信方法であって、１の通信端末装置が、相手先を指定してグループ通信の開始を指示する第１のステップと、前記１の通信端末装置が、当該複数の相手先に対してグループ通信の開始通知を送信すると共にグループ通信の処理を行う第２の工程と、前記１の通信端末装置が、前記グループ通信の開始通知を送信する際、それぞれの相手先に対して当該相手先の個人情報を他の相手先へ開示の可否を確認する開示確認通知を送信する第３の工程と、他の通信端末装置が、開示確認通知を受信すると、当該開示確認通知を報知する第４の工程と、前記他の通信端末装置が、前記開示確認通知に対する入力に応じた応答を送信する第５の工程と、前記１の通信端末装置が、当該開示確認通知に対する応答を受信する第６の工程と、前記１の通信端末装置が、応答内容に応じてそれぞれの相手先に対して応答の送信元に関する相手先情報を開示するか否かを決める第７の工程とを有する。
【発明の効果】
【００１９】
本発明によれば、グループ通信開始通知を受信したメンバーが、他の参加メンバーが誰なのかを知ることができ、参加判断の材料にすることができる通信端末装置、通信システム及び通信方法を提供することができる。
【発明を実施するための最良の形態】
【００２０】
以下、本発明の実施形態について説明する。
図１は、本実施形態の通信システムの構成の一例を示す図である。
本発明に係る通信システムは、例えば図１に示すように、３以上の通信端末（１００−１、１００−２、１００−３…）と、通信サーバ装置２００とを有する。
【００２１】
通信端末１００−ｉ（ｉは自然数を示す）は、例えば携帯電話機等の無線通信端末であり、基地局（３００−１、３００−２、３００−３…）を介して通信網３００に接続される。また、通信端末１００−ｉは、通信網３００に接続される通信サーバ装置２００の制御にしたがってデータ通信を行う。本実施形態では、一例として、ＰｏＣ（Push to Talk over Cellular）によるグループ通信を行うものとする。
【００２２】
このデータ通信において伝送されるデータには、例えば通話の音声や、画像、文字等のデータが含まれる。
【００２３】
本通信システムでは、複数の通信端末（１００−１、１００−２、１００−３…）のうち通信サーバ装置２００によって送信を許可された１の通信端末が他の複数の通信端末へデータを送信することが可能である。データ送信を希望する通信端末１００−ｉは、通信サーバ装置２００に対して通信許可の要求を送信する。
【００２４】
また、通信端末１００−ｉは、後述するように、通信サーバ装置２００から提供される各種の情報を表示可能な表示部をそれぞれ有している。通信端末１００−ｉが通信サーバ装置２００に対して上述した通信許可を要求すると、通信システム内において現在通信許可を待っている通信端末に関する情報が通信サーバ装置２００から通信端末１００−ｉに送信される。通信端末１００−ｉは、通信サーバ装置２００からの情報を受信して表示部に表示する。
【００２５】
通信サーバ装置２００は、３以上の通信端末（１００−１、１００−２、１００−３…）によるＰｏＣのグループ通信を管理する装置である。
通信サーバ装置２００は、１の通信端末からＰｏＣによるグループ通話の開始通知を受けると、その要求に応じて相手方の通信端末を呼び出し、通信セッションを確立する。
【００２６】
通信セッションの確立後、通信サーバ装置２００は、１の通信端末から複数の通信端末へ送信されるデータを中継する。すなわち、送信側の通信端末から受信側の通信端末に宛てて送信されるデータを一旦受信し、これを受信側の通信端末へ転送する。
【００２７】
また、通信サーバ装置２００は、各通信端末１００−ｉの送信許可要求を受信し、各端末の送信許可要求を受け取った順にリスト化し、現在送信を行っている端末の送信が終わるたびにリスト上で次の端末の送信を順次許可する。
【００２８】
次に、本実施形態の通信端末１００−ｉについて説明する。
図２は、通信端末１００−ｉの構成の一例を示す図である。
通信端末１００−ｉは、例えば図２に示すように、アンテナ１と、通信部２と、キー入力部３と、音声処理部４と、表示部５と、記憶部６と、制御部７とを有する。
【００２９】
通信部２は、通信網３００の基地局（３００−１、３００−２…）との間の無線通信に関する処理を行う。例えば、後述する制御部７から供給される送信データに所定の変調処理を施して無線信号に変換し、アンテナ１から送出する。また、アンテナ１において受信される基地局からの無線信号に所定の復調処理を施して受信データに変換し、制御部７に出力する。
通信端末１００−ｉは、この通信部２を介して通信網３００に接続された通信サーバ装置２００や他の端末と通信を行う。
【００３０】
キー入力部３は、通信端末にユーザの指示を入力するための装置である。例えば数字キー、文字キー、方向キー、決定キーなど、各種の機能を持ったキーを有しており、これらのキーがユーザによって操作された場合に、その操作内容を電気信号に変換して制御部７に出力する。
【００３１】
また、キー入力部３には、ＰｏＣにおいて送信と受信を切り替えるための送信キー（ｔａｌｋキー）が設けられている。ユーザがこの送信キーを操作すると、通信サーバ装置２００に対する送信許可要求が通信部２から送信される。
送信キーが押下されると、通信サーバ装置にて、他の通信端末が発言中であるかどうかを判断し、発言中の通信端末が無ければ、当該送信キーを押下した通信端末に対して発言権を与える。なお、送信キーが押圧されている間、この発言権は継続して与えられて送信状態になり、マイクにて入力された音声は通信サーバ装置を介して他の通信端末に同時に送出される。しかし、送信キーを開放する（送信キーの押下をやめる）と、発言権はなくなり、入力された音声は送信されなくなり、代わりに通信サーバ装置を介して他の通信端末による発言を受信してスピーカに出力する状態になる。
【００３２】
音声処理部４は、スピーカやマイクロフォンにおいて入出力される音声信号を処理する。すなわち、マイクロフォンから入力される音声信号に増幅、アナログ−デジタル変換、符号化等の信号処理を施し、デジタルの音声データに変換して制御部７に出力する。また、制御部７から供給される音声データに復号化、デジタル−アナログ変換、増幅等の信号処理を施し、アナログの音声信号に変換してスピーカに出力する。
【００３３】
表示部５は、例えば液晶表示パネルや有機ＥＬパネル等の表示デバイスを用いて構成されており、制御部７から供給されるデータに応じた情報を表示する。例えば、発信時における発信先の電話番号や、着信時における着信相手の電話番号、受信メールや送信メールの内容、待ち受け画面、日付、時刻、バッテリ残量等を表示する。
【００３４】
また、表示部５は、ＰｏＣによるグループ通信中には、通信サーバ装置２００から送られてくる各種の情報や通知を表示する。例えば、後述する通信開始通知画面や、グループ通信に参加している通信端末の一覧、送信許可を待っている通信端末の情報、１つの通信端末から他の端末へ発せられる要求やメッセージ、この要求やメッセージ等に対する別の通信端末の応答等を表示する。
【００３５】
なお、表示部５は、図２に図示しないスピーカやバイブレータ等を含み、各種情報を、例えば文字の代わりに音声によって報知したり、振動によって通信開始通知受信を報知したりしてもよい。
【００３６】
記憶部６は、制御部７の処理で利用される各種のデータや、制御部７の処理結果のデータを記憶する。例えば、制御部７のコンピュータ・プログラムや、その処理に用いる定数データ、処理過程で一時的に保持する必要がある変数データ、電話番号やメールアドレス等の発呼やメール送信といったネットワークサービス上の識別ＩＤであるアドレス情報を相手先ごとに複数まとめたアドレス帳を記憶する。
【００３７】
制御部７は、通信端末の全体的な動作にかかわる種々の処理を行う。
例えばグループ通信に関する処理として、ＰｏＣにおける所定のプロトコルに従った音声通話やデータ通信が適切に行われるように、音声処理部４における音声の入出力、キー入力部３からの文字データの入力、表示部５における情報の表示、通信部２におけるデータの送受信等を制御する。
【００３８】
また、制御部７は、例えば、記憶部６に格納されたプログラム（オペレーティングシステム、アプリケーション等）に基づいて処理を実行するコンピュータを有しており、プログラムに従って上述した処理を実行する。
【００３９】
制御部７は、ユーザがグループ通話を開始させたい場合に、通信部２に通信開始通知を通信サーバ装置２００に対して送信させる。
グループ通信を開始する要求を通信サーバ装置に送出すると、通信サーバ装置は自装置または他のサーバ装置上にグループ通信を制御するためのサイトを設けることになる。ここで通信開始通知とは、このようなサイトが設けられたことの通知であり、サイトの通信網３００上のアドレスや、当該サイトにログインするためのログインＩＤ等、グループ通信参加のために必要な各種パラメータを含み、先の管理テーブルに記載されたメンバーのアドレス情報等に基づいて送信する。
また、制御部７は、ＰｏＣのグループ通信が始まった後、通信部２からデータを送信する処理を行う。例えば、キー入力部３においてＰｏＣの送信キーが押されると、通信サーバ装置２００に対する送信許可の要求を通信部２から送信する。
また、制御部７は、ＰｏＣのグループ通信が始まった後、通信部２においてデータを受信する処理を行う。例えば、上述した送信許可の要求を通信部２から送信した後、通信サーバ装置２００から送信される送信予約リスト情報（通信システム内で送信許可を待つ通信端末に関する情報等）を通信部２において受信する。
【００４０】
また、制御部７は、ＰｏＣのグループ通信に関する各種情報を表示部５に表示させる。
【００４１】
次に、図１に示す通信システムにおける、本実施形態の通信端末１００−１〜３のグループ通信時における動作例について説明する。
図３は、本実施形態の通信端末１００−１〜３がグループ通信を行う際のシーケンス図である。
図３に示すように、本実施形態では、通信開始通知を送信する通信開始端末１００−１側が処理を行うステップと、通信開始通知を受信した参加メンバーの通信端末１００−２及び１００−３側が処理を行うステップとがあるため、以下では各ステップごとに通信端末の動作例について説明する。
ステップＳＴ１：
本ステップは、グループ通信を開始しようとする主催者ユーザＸが有する、通信開始端末１００−１の動作例である。
例えば通信開始端末１００−１のユーザＸが、キー入力部３の操作によりＰｏＣのアプリケーションソフトウェア（以下、ＰｏＣアプリと略称する）を起動することにより、グループ通信のための処理が開始される。
【００４２】
制御部７は、図４に示すような個人情報通知設定画面を表示部５に表示し、グループ通話の通信開始通知時に自端末１００−１の個人情報を他の端末に通知するか否かをキー入力部３を介してユーザＸに設定させる。
ここで、個人情報とは、各ユーザ或いは端末を特定できる、名前、電話番号、メールアドレス等を指す。なお、個人情報には、ユーザの顔写真画像データや、住所等を含んでもよい。その場合、個人情報通知設定画面にて顔写真画像データや、住所等、上述した名前、電話番号、メールアドレス以外の要素についても設定できるようにする。
【００４３】
次に、ユーザＸはＰｏＣアプリ上にて、アドレス帳を参照し、キー入力部３等を介して、グループ通信を行いたい相手として、例えば、通信端末１００−２（ユーザＡ）、１００−３（ユーザＢ）の電話番号等の識別情報（アドレス情報）を指定する。なお、ユーザＡ及びユーザＢを以下参加メンバーと称する。
【００４４】
グループ通信の相手を指定された制御部７は、ＰｏＣアプリの処理ルーチンに従い、通信部２に基地局３００−１を介してインターネット等の通信網３００上のサーバである通信サーバ装置２００を呼び出して接続させるよう制御し、まずはグループ通信の開始通知及び、上述したように決定した通知可能な自らの個人情報の送信を含む通信を、自らの電話番号等のアドレス情報を通信サーバ装置２００に連絡した上で開始する。
【００４５】
通信サーバ装置２００は、通信開始端末である通信端末１００−１からＰｏＣによるグループ通信の開始通知を受けて通信端末１００−１との通信が開始されると、通信端末１００−１に通信参加メンバーのアドレス情報についても要求する。通信端末１００−１は指定していた通信参加メンバーのアドレス情報を送信し、通信サーバ装置２００はこれを受信する。このメンバーに関してのアドレス情報と通信開始端末１００−１のアドレス情報とから、通信サーバ装置２００は参加状態リストとしてグループ通信に関する管理テーブルを作成すると共に、通信端末ぞれぞれの互いのデータの送受信や発言権の付与等といったグループ通信を制御するためのサイトを通信サーバ装置２００上に設ける。なお、上述したグループ通信制御のためのサイトは、通信サーバ装置２００以外のサーバ上に設けられてもよい。
【００４６】
通信開始端末１００−１の記憶部６にも管理テーブルが記憶されると、通信サーバ装置２００はグループ通信のメンバー全員に通信開始通知及びメンバーリストを送信する。
【００４７】
その後、通信サーバ装置２００は、通信開始通知及びメンバーリストを送信したメンバーからの応答を監視し、これらメンバーからの応答があれば、その都度通信開始端末１００−１に通知し、その応答内容により（参加フラグの有無等により）記憶部６内及び通信サーバ装置２００の有する参加状況リストの参加状況を参加（ＩＮ）または不参加（ＯＵＴ）に設定する。
【００４８】
なお、この通信開始通知に関しては、通信サーバ装置２００から他のメンバーの通信端末１００−２、１００−３に対して送信してもよいが、通信開始端末１００−１から各メンバーのアドレス宛に送信してもよい。また、メンバーからの応答や、グループ通信での発言等は通信サーバ装置２００を経由して管理され、通信開始端末１００−１に届けられる。
【００４９】
ステップＳＴ２：
本ステップでは、ステップＳＴ１で送信された通信開始通知及び通信開始端末１００−１の個人情報を受信した通信端末、一例としてユーザＡが有する１００−２の処理について説明する。
【００５０】
まず、通信部２が、自端末１００−２宛ての通信サーバ装置２００（を介した通信開始端末１００−１）からのＰｏＣ通信の通信開始通知を通信網３００から受信する。
なお、通信サーバ装置２００経由で他の通信端末装置から通信開始通知が送付される本実施形態のようなシステムの場合は、受信した呼び出しの送付元を参照したり、受信した呼び出しの内容に通信サーバ装置２００へのログインに用いるパラメータが記載されているか否かを判断したり、等の多様な手法により本発明で言う通信開始通知なのか、通常の回線交換による音声通話目的の着信なのか、メール受信なのかを判断すればよい。
【００５１】
次に、制御部７は、通信部２が受信した通信開始通知に応じて、記憶部６に記憶されたＰｏＣアプリを読み出して起動し、ＰｏＣ関連の処理を開始する。
【００５２】
制御部７は、通信部２が受信した通信開始通知を表示部５に表示させる。
図５は、通信開始通知画面の一例を示す図である。
図５に示すように、通信開始通知画面においては、例えば、個人情報の通知設定を行うアイコンや（図５の５０１）、他の参加メンバーの詳細（個人情報）を表示させるアイコン（図５の５０２）、更にグループ通信に参加するか否かを決定するアイコン（図５の５０３，５０４）が表示されており、キー入力部３等による入力によってそれぞれのアイコンを選択することができる。
【００５３】
キー入力部３等によるユーザの入力によって、図５に示す個人情報の通知設定を行うアイコン５０１が選択された場合は、制御部７は、表示部５に図４に示す個人情報通知設定画面を表示し、ユーザＡに個人情報の各要素（名前、電話番号、メールアドレス等）について他の通信端末に通知してもよいか否かをユーザに設定させる。
なお、ここでは通信開始通知を受信した端末１００−２と、通信開始通知を送信する通信開始端末１００−１とで、同じ図４に示す個人情報設定画面を表示部５に表示させているが、個人情報の各要素について通知の可否を問う画面であれば、同じ画面でなくてもよい。
【００５４】
次に、制御部７は、個人情報通知設定画面において決定された個人情報の通知可否情報を、通信サーバ装置２００を通して通信開始端末１００−１に対して、通信部２に送信させる。ここで送信する情報は、個人情報の通知可否情報だけでもよいし、個人情報を通知可否情報に付加して送信してもよい。更に、名前を他の参加メンバーに知られたくない場合等には、ここで通知許可名称を個人情報通知可否情報及び個人情報と共に送信してもよい。通知許可名称は、例えばニックネームのような、キー入力部３によりユーザが自由に決定できる名称である。通知許可名称は、予めユーザに決定させて記憶部６に記憶させておいてもよいし、個人情報通知可否を設定する際に決定してもよい。
【００５５】
図５の通信開始通知画面において、参加メンバーの詳細を表示させるアイコン５０２がキー入力部３によって選択された場合は、図６（ａ）に示す参加メンバー詳細画面を表示部５に表示させる。
なお、この段階では、参加メンバー（ユーザＡ及びＢ）の個人情報はまだ表示されないので、参加メンバー詳細画面は、図６（ａ）に示すように、個人情報は、グループ通話主催者のユーザＸが予め他の端末に通知してもよいと設定した個人情報の要素のみが表示された画面になる。なお、図６（ａ）ではユーザＸが名前、電話番号、メールアドレスの全てを通知可能に設定した場合の一例を示す。
参加メンバーの個人情報が表示されない理由は、詳しくは後述するが、すべての参加メンバーの個人情報通知可否情報をまだ有していないからである。
【００５６】
また、この個人情報の開示については、予めそれぞれの端末ごとに設定しておいてもよい。それぞれの端末において、グループ通信を行っていない状態にて、図４に示す個人情報設定画面を呼び出してキー入力部にて個人情報の開示の設定を行っておくことにより、グループ通信開始設定通知を受け取った際には、この予め設定した内容に基づいて個人情報開示可否を自動的に送信させる。これにより、個人情報の開示について毎回設定を行わずともすむだけでなく、個人情報開示について基本的に拒んでいないユーザの情報については少なくともグループ通信開始の早い段階で通知することができる。
【００５７】
また、図５の通信開始通知画面において、グループ通信に参加するか否かを決定するアイコン５０３及び５０４がキー入力部３により選択された場合に、参加アイコン５０３ならば、制御部７は通信部２に通信開始通知の送信元の通信端末へ参加通知を送信させ、不参加アイコン５０４ならば、制御部７は通信部２に通信開始通知の送信元の通信端末へ不参加通知を送信させてから通信サーバ装置２００との通信を切断する。
なお、グループ通信に参加するか否かを決定するアイコン５０３及び５０４が選択されるのは、もちろん、すべての参加メンバーの個人情報が表示されていないステップＳＴ２においてでもよいし、すべての参加メンバーの個人情報が表示された、後述するステップＳＴ４においてでもよい。
【００５８】
以上のようにして、すべての参加メンバーの通信端末が送信した個人通知可否情報を通信開始端末１００が受信したか、通信開始通知が送信されてから所定の時間以上経過したことを条件に、ステップＳＴ３に進む。
【００５９】
ステップＳＴ３：
本ステップは、ステップＳＴ２で各参加メンバーの端末から送信された個人情報通知可否情報を受信した、通信開始端末１００−１の処理について説明する。
制御部７は、通信部２に個人情報通知可否情報を受信させる。
なお、ここでは一例として、ユーザＡから名前：ＹＥＳ、電話番号：ＮＯ、メールアドレスＮＯなる個人情報可否情報が送信され、ユーザＢからは通信開始通知を送信してから所定の時間が経過しても反応がなかったとする。ユーザＢに関しては、反応なしとして、すべての要素に対してＮＯであるとして扱う。なお、ＹＥＳはその要素に関して他の通信端末に通知を許可することを意味し、Ｎｏは反対に通知を許可しないことを意味する。
なお、ここでは、グループ通話の通信開始通知を送信してから、所定の時間が経過しても個人情報通知可否情報の送信がない場合には、「反応なし」としてすべての要素に対してＮＯとして扱っているが、反応があるまでその端末からの個人情報通知については保留してもよい。
【００６０】
制御部７は、各参加メンバーからの個人情報通知可否情報に応じて、通知の許可をされた個人情報を各参加メンバーの通信端末に対して、通信部２に送信させる。
この際、送信する個人情報は、ステップＳＴ３において個人情報通知可否情報と共に個人情報が参加メンバーの通信端末から送信されてきた場合は、送信されてきた個人情報を使用してもよいし、ステップＳＴ３において個人情報が送信されてこなかった場合は、通信開始端末の１００−１の記憶部６にあるアドレス帳情報に記憶された、該当する個人情報を使用する。
なお、ステップＳＴ３において個人情報が送信されてこず、且つ通信開始端末１００−１の記憶部６に、該当する個人情報が記憶されていなかった場合は、該当する個人情報を送信できないので送信しない。
【００６１】
また、個人情報通知可否情報と共に通知許可名称が送信されてきた場合は、制御部７は、通知許可名称を送信してきたメンバー以外の通信端末に対して、個人情報の１要素「名前」はそのメンバーの個人情報通知可否情報にかかわらず通信部２に送信させず、代わりに通知許可名称を送信させる。
【００６２】
ステップＳＴ４：
本ステップは、ステップＳＴ３で送信された個人情報を受信した、例えば通信端末１００−２の処理を説明する。
個人情報を受信した通信端末１００−２の制御部７は、個人情報を記憶部６に記憶する。
制御部７は、ユーザＡの入力部を介した入力により、図５の通信開始通知画面において、参加メンバーの詳細を表示させるアイコン５０２が選択されたら、図６（ｂ）に示す、各メンバーの個人情報を表示した参加メンバー詳細画面を表示部５に表示させる。
図６（ｂ）は、ユーザＡが名前及び電話番号を通知可能な設定にし、ユーザＢの反応がなかった場合を示している。
ユーザは個人情報が表示された参加メンバー詳細画面を見て、改めて図５に示す通信開始通知画面で参加あるいは不参加を決定する参加アイコン５０３あるいは不参加アイコン５０４をキー入力部３によって選択し、参加アイコン５０３が選択された場合は、制御部７は通信部２に通信開始通知の送信元の通信端末へ参加通知を送信させ、不参加アイコン５０４が選択された場合は、制御部７は通信部２に通信開始通知の送信元の通信端末へ不参加通知を送信させてから通信サーバ装置２００との通信を切断する。
【００６３】
ステップＳＴ５：
本ステップは、参加メンバーの各通信端末からステップＳＴ４で送信された参加通知あるいは不参加通知を受信した通信開始端末１００−１の処理を説明する。
通信開始端末１００−１は、参加通知あるいは不参加通知を各端末から受信して、参加通知を送信した通信端末と後述する通常のＰｏＣ処理を開始する。
【００６４】
グループ通信を開始した後の通信端末の処理（通常のＰｏＣ処理）は以下の通りである。
一の通信端末、例えば通信端末１００−３の所有者がキー入力部３にある送信キー（Ｔａｌｋキー）を押すと、この通信端末１００−３から通信サーバ装置２００に対し発言要求が行われる。通信サーバ装置２００は他に送信キーを押圧しているメンバーがいれば、拒否信号を通信端末１００−３に送信する。通信端末１００−３は、拒否信号を受信して、例えばエラー音等を鳴動させ、ユーザに発言不可を通知する。他に送信キーを押しているメンバーがいなければ通信端末１００−３の発言を許可し、通信端末１００−３からのデータを受信し、この受信したデータを他の参加メンバー全てに対して送信する。このような発言の制御を行うことでグループ通信は行われる。
【００６５】
なお、上述したグループ通信の通信開始通知に対する各メンバーからの参加許可や不参加といった応答の受信は、上述したようなグループ通信中においても適宜受付可能であり、受信した場合はその都度、通信開始端末１００−１は管理テーブルのログイン状況を書き換える。
【００６６】
グループ通信が終了したら、各端末の制御部７はＰｏＣアプリを終了させ、通常の待ち受け状態に戻る。
【００６７】
以上説明したように、本実施形態の通信装置１００−ｉによれば、まず、グループ通信の主催者の個人情報を通信開始通知と共にグループ通信の参加メンバーの通信端末が受信しユーザの入力に従って表示するので、ユーザは誰が主催するグループ通信なのかわかりやすい。
【００６８】
また、本実施形態の通信端末１００−ｉによれば、参加メンバーの通信端末装置では、ユーザの入力に従い個人情報の要素ごとに他の参加メンバーに通知してもよいか否かを設定できるので、個人情報の他人への漏洩を防ぐことができる。
また、本実施形態の通信端末１００−ｉによれば、参加メンバーの通信端末から個人情報通知可否情報と共に個人情報を主催者側の通信開始端末に送信することができるので、通信開始端末の記憶部に参加メンバーの個人情報がない場合でも、個人情報の通知を行うことができる。
【００６９】
また、本実施形態の通信端末１００−ｉによれば、参加メンバーの通信端末は、通信用のニックネームである通知許可名称を個人情報通知可否情報と共に通信開始端末に送信し、通信開始端末は名前の代わりに通知許可名称を各参加メンバーの端末に送信するので、名前すら第三者の参加メンバーに知られたくないユーザがいる場合にもグループ通信を行うことができる。
【００７０】
また、本実施形態の通信端末１００−ｉによれば、通信開始端末が送信した個人情報を基に、各参加メンバーの通信端末は参加メンバー詳細画面を表示部に表示するので、各参加メンバーはそれを見てグループ通信に参加するか否かを決定することができる。
【００７１】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００７２】
上述した実施形態では、ＰｏＣによるグループ通信に本発明を適用する例を説明しているが、本発明はこれには限定されず、１対多のデータ通信を行う他の種々のグループ通信にも適用可能である。
【００７３】
本実施形態では、ステップＳＴ２において、すべての参加メンバーの通信端末が送信した個人通知可否情報を通信開始端末１００が受信したか、通信開始通知が送信されてから所定の時間以上経過したことを条件に、ステップＳＴ３に進んでいるが、これは一例であり、例えば、通信開始端末１００−１は、ある参加メンバーの通信端末１００−ｉからの個人情報通知可否情報を受信するたび、すぐにその参加メンバーの個人情報を個人情報通知可否情報を基にすべての通信端末に対して送信してもよい。
【００７４】
上述した実施形態の通信端末１００−ｉの制御部７の処理は、全てをコンピュータによってプログラムに基づいて実行してもよいし、その少なくとも一部をハードウェアで実行してもよい。
【００７５】
本発明の通信端末は携帯電話機に限定されない。例えば、ＰＤＡ（personal digital assistants）や携帯型ゲーム機等、通信機能を有する端末装置に広く本発明は適用可能である。
【図面の簡単な説明】
【００７６】
【図１】図１は、本実施形態の通信システムの構成の一例を示す図である。
【図２】図２は、通信端末１００−ｉの構成の一例を示す図である。
【図３】図３は、本実施形態の通信端末１００−１〜３がグループ通信を行う際のシーケンス図である。
【図４】図４は、個人情報通知設定画面の一例を示す図である。
【図５】図５は、図５は、通信開始通知画面の一例を示す図である。
【図６】図６は、参加メンバー詳細画面の例を示す図である。
【符号の説明】
【００７７】
１…アンテナ、２…通信部、３…キー入力部、４…音声処理部、５…表示部、６…記憶部、７…制御部、１００…通信端末、２００…通信サーバ装置、３００…通信網
【図１】
2007150769.tif 000003
【図２】
2007150769.tif 000004
【図３】
2007150769.tif 000005
【図４】
2007150769.tif 000006
【図５】
2007150769.tif 000007
【図６】
2007150769.tif 000008